(57)【要約】【課題】簡単な構成で且つ低コストで防犯効果が得られると共に、防犯効果を向上させることのできる屋外用照明器具を提供すること。【解決手段】本発明の屋外用照明器具２は、主となる白色光の照明光を点灯する複数のＬＥＤ１３ａを有する第１のＬＥＤ部１３と、第１のＬＥＤ部１３の補助的な照明光であり青色光の照明光を点灯する複数の青色ＬＥＤ１４ａを有する第２のＬＥＤ部１４とを備えた光源部１２と、人を検知して検知結果を出力する人感センサ２０と、第１のＬＥＤ部１３の点灯時において、人感センサ２０から検知結果が出力され場合には第２のＬＥＤ部１４を点灯させるように前記光源部１２を制御する点灯制御部（点灯装置１５、タイマ１８、リレー１９、フォトスイッチ２１）と、を有している。【選択図】図４
2008305768.tif 000002
【特許請求の範囲】
【請求項１】
主となる照明光を点灯する第１のＬＥＤ部と、前記第１のＬＥＤ部の補助的な照明光を点灯する第２のＬＥＤ部とを備え、これら第１及び第２のＬＥＤ部が選択的に点灯可能に構成された光源部と；
人を検知して検知結果を出力する人感センサと；
前記第１のＬＥＤ部の点灯時において、前記人感センサから前記検知結果が出力された場合に前記第２のＬＥＤ部を点灯させるように前記光源部の点灯を制御する点灯制御部と；
を具備したことを特徴とする屋外用照明器具。
【請求項２】
前記第１のＬＥＤ部は白色光の照明光を点灯する複数の白色ＬＥＤで構成され、前記第２のＬＥＤ部は青色光の照明光を点灯する複数の青色ＬＥＤで構成されたことを特徴とする請求項１に記載の屋外用照明器具。
【請求項３】
前記第２のＬＥＤ部は赤色光の照明光を点灯する複数の赤色ＬＥＤで構成され、前記人感センサは人の特定動作を検知して警戒信号を出力可能であり、
前記点灯制御部は、前記人感センサが前記警戒信号を出力した場合には、前記第２のＬＥＤ部を点灯させるように制御することを特徴とする請求項１に記載の屋外用照明器具。
【請求項４】
予め設定された明るさを検知する照度センサを有し、前記点灯制御部は、前記照度センサからの検知結果に応答して、前記第１及び前記第２のＬＥＤ部の点灯を制御することを特徴とする請求項１から請求項３のいずれか１項に記載の屋外用照明器具。
【発明の詳細な説明】
【技術分野】
【０００１】
本発明は、ＬＥＤを光源として用いた屋外用照明器具に関する。
【背景技術】
【０００２】
近年、ひったくりや痴漢などの他、ストーカーや通り魔などの凶悪な街頭犯罪が多発し、防犯のための対策が急がれている。
【０００３】
その対策の一つとして、道路に沿って設置された街灯用ポール等の支柱に付加的に防犯警報機器を設置するようにした屋外用照明器具である防犯灯が、従来より提案されている。
【０００４】
例えば、特許文献１には、街路灯用の照明機器と、この照明機器に配設した複数の発光ダイオード（ＬＥＤ）を光源として構成された警報灯と、警報音発報器と、これらの動作制御と信号の送受信を行うための通信手段とを有する防犯用警報機器を備え、この防犯用警報機器を携帯端末器から発信される緊急信号を前記制御装置で受信することにより動作させるようにした防犯灯であって、前記携帯端末器からの緊急信号の受信時に、前記警報灯の前記複数のダイオードを明滅させ、且つ前記警報音発報器から警報音を発報させるようにした防犯灯に関する技術が開示されている。
【０００５】
このような特許文献１に記載の防犯灯によれば、街頭犯罪を抑止するための防犯灯を、街灯用ポール等の支柱における適切な位置に、前記照明機器による照明効果を損なうことなく設置可能とし、しかも防犯警報機器における警報灯の視認性を低下させることがない他に、警報音発報器の警報音を周囲に確実に報知することが可能である。
【特許文献１】実案登録第３１３１４６２号公報
【発明の開示】
【発明が解決しようとする課題】
【０００６】
しかしながら、前記特許文献１に記載の従来技術では、前記携帯端末器からの緊急信号の受信時に、前記警報灯の前記複数のダイオードを明滅させ、且つ前記警報音発報器から警報音を発報させることで、防犯効果を得る構成となっているため、通行人等が前記携帯端末を携帯していないと、防犯効果が得られないといった問題点があった。
【０００７】
また、前記防犯用警報機器は前記携帯端末器との通信手段を有して防犯警報システムを構成しているので、この防犯警報システムの通信手段に必要な部材点数が多くなってしまい、コスト的にも高価になってしまうといった問題点もあった。
【０００８】
そこで、本発明は前記問題点に鑑みてなされたもので、簡単な構成で且つ低コストで防犯効果が得られると共に、防犯効果を向上させることのできる屋外用照明器具を提供することを目的とする。
【課題を解決するための手段】
【０００９】
本発明の屋外用照明器具は、主となる照明光を点灯する第１のＬＥＤ部と、前記第１のＬＥＤ部の補助的な照明光を点灯する第２のＬＥＤ部とを備え、これら第１及び第２のＬＥＤ部が選択的に点灯可能に構成された光源部と；人を検知して検知結果を出力する人感センサと；前記第１のＬＥＤ部の点灯時において、前記人感センサから前記検知結果が出力された場合に前記第２のＬＥＤ部を点灯させるように前記光源部の点灯を制御する点灯制御部と；を有している。
【００１０】
ここで、前記第１のＬＥＤ部は主照明光を放射する複数の白色ＬＥＤで構成し、前記第２のＬＥＤ部は防犯効果を高める光を放射する複数の青色ＬＥＤで構成するのが好ましい。すなわち、第２のＬＥＤ部の前記複数の青色ＬＥＤによる青色光は、人の副交感神経に作用して落ち着かせる鎮痛効果と心理的に人を冷静にさせる傾向があることが知られており、照明光の青色成分を多くすることで、防犯効果を高めることが可能となる。
【００１１】
したがって、前記点灯制御部によって、前記第１のＬＥＤ部の点灯時において、前記人感センサから前記検知結果が出力された場合にはこの検知結果に応答して前記第２のＬＥＤ部を点灯させるように制御することにより、防犯効果を得ることが可能となる。
【００１２】
また、前記人感センサは、人の存在だけでなく、人の特定動作を検知して警戒信号を出力するものであっても良い。
【００１３】
また、前記第２のＬＥＤ部は赤色光の照明光を点灯する複数の赤色ＬＥＤで構成しても良い。この場合、前記点灯制御部は、前記人感センサが前記警戒信号を出力した場合には、前記第２のＬＥＤ部の前記複数の赤色ＬＥＤを点灯させるように制御する。すなわち、一般に赤色光は異常時又は緊急時に用いられる色であり、前記第２のＬＥＤを赤色光の照明光を点灯する複数の赤色ＬＥＤで構成すれば、人の急峻な動きを検知した場合に赤色光を点灯させることにより、異常時又は緊急時であるという旨をその赤色光によって知らしめて、犯罪を未然に防止するといった効果が得られる。
【発明の効果】
【００１４】
本発明によれば、人感センサの検知出力に応じて複数のＬＥＤを選択的に点灯させるという、簡単な構成で且つ低コストで防犯効果が得られると共に、防犯効果を向上させることのできる屋外用照明器具を提供することができる。
【発明を実施するための最良の形態】
【００１５】
以下、図面を参照して本発明の実施の形態を説明する。
【００１６】
（第１の実施の形態）
図１から図５は本発明の第１の実施の形態に係り、図１は第１の実施の形態の屋外照明機器を有する照明システム全体の外観構成を示す構成図、図２から図４は図１の照明システムの屋外用照明器具の構成を説明するもので、図２は図１の屋外用照明器具の上面図、図３は図１の屋外用照明器具の断面図、図４は図１の屋外用照明器具内の光源部を構成する複数のＬＥＤの配置形態を説明するための平面図、図５は図１の屋外用照明器具を有する照明システム全体の電気的な構成を示すブロック図である。
【００１７】
図１に示すように、第１の実施の形態の照明システム１は、本発明が適用される屋外用照明器具２と、この屋外用照明器具２が固定されるもので歩道路５０に沿って設置される街灯用ポール３とを有して構成されている。
【００１８】
前記屋外用照明器具２の外観は、図１及び図３に示すように、上部本体部２Ａと、この上部本体部２Ａの下側に固定される下部本体部２Ｂと、この下部本体部２Ｂの図示しない開口部を覆うように設けられた透明な下部カバー２Ｃとで構成されている。  
上部本体部２Ａは、図２及び図３に示すように、開閉金具５によって下部本体部２Ｂに対して開閉可能に取り付けられている。
【００１９】
尚、上部本体部２Ａと下部本体部２Ｂとの間にはパッキン８が設けられており、このパッキン８により上部本体部２Ａと下部本体部２Ｂとの間を密接状態にして外部からの水分の浸入を防止している。
【００２０】
下部本体部２Ｂの基端側には、街灯用ポール３の先端部を挿入して装着するための装着孔３Ａ及びポール押え部材９が設けられている。この装着孔３Ａに街灯用ポール３の先端部が挿入された状態で、ポール押え部材９を介してポール押しボルト１０を螺合することにより、屋外用照明器具２が街灯用ポール３に固定される。尚、下部本体部２Ｂの装着孔３Ａ近傍には、街灯用ポール３の外周を覆うように化粧カバー１１が装着されている。
【００２１】
下部本体部２Ｂの内部には、屋外用照明器具２の光源部１２及びこの光源部１２が設けられたユニット板１２Ａが設けられている。この光源部１２は、下部本体部２Ｂの下部側に設けられた開口部（図示せず）に対向するように設けられており、この下部本体部２Ｂの開口部（図示せず）には、パッキン７を介して透光性樹脂やガラス等の材質で成形された下部カバー２Ｃが装着されている。
【００２２】
尚、下部カバー２Ｃは、パッキン７を介して下部本体部２Ｂに装着されているので、このパッキン７により下部本体部２Ｂと下部カバー２Ｃとの間を密接状態にして外部からの水分の浸入を防止している。
【００２３】
また、下部本体部２Ｂ内部のユニット板１２Ａ近傍には、光源部１２を点灯させるのに必要な後述する点灯装置１５、タイマ１８、及びリレー１９等の点灯制御部が設けられている。このような点灯制御部には電線３０が電気的に接続され、この電線３０には外部に配設された電源２３からの電力が供給されるようになっている。  
尚、電線３０は、例えば、屋外用照明器具２の基端部から延出され、街灯用ポール３内を挿通されて電源２３に接続されるようになっている。
【００２４】
次に、屋外用照明器具２の具体的な構成について、図４及び図５を参照しながら説明する。
【００２５】
図４及び図５に示すように、屋外用照明器具２は、複数色のＬＥＤ１３ａ、１４ａが複数配置され、これら複数のＬＥＤ１３ａ、１４ａが選択的に点灯可能に構成されたもので、主となる照明光を点灯する第１のＬＥＤ部１３と、第１のＬＥＤ部１３の補助的な照明光を点灯する第２のＬＥＤ部１４とを備えた光源部１２と、光源部１２と電気的に接続され、人を検知して検知結果を出力する人感センサ２０と、光源部１２の第１及び第２のＬＥＤ部１３、１４の点灯を制御するもので、第１のＬＥＤ部１３の点灯時において、人感センサ２０から検知結果が出力した場合にはこの検知結果に応答して第２のＬＥＤ部１４を点灯させるように制御する点灯装置１５、タイマ１８、リレー１９、フォトスイッチ２１及び照度センサ２２とを有している。  
尚、点灯装置１５、タイマ１８、リレー１９、フォトスイッチ２１及び照度センサ２２は、前記点灯制御部を構成している。また、フォトスイッチ２１，照度センサ２２は、屋外用照明器具２と一体に設けても、或いは別体に設けて構成しても良い。
【００２６】
第１のＬＥＤ部１３は、例えば白色光の照明光を点灯する複数の白色ＬＥＤ１３ａで構成されている。また、第２のＬＥＤ部１４は、例えば青色光の照明光を点灯する複数の青色ＬＥＤ１４ａで構成されている。
【００２７】
このような光源部１２を構成する第１及び第２のＬＥＤ部１３、１４の配置形態例が図４に示されている。
【００２８】
図４に示すように、第１の実施の形態では、第１のＬＥＤ部１３は、例えば下部本体部２Ｂのユニット板１２Ａの全体領域の内、略中央近傍の領域に配置されており、複数の白色ＬＥＤ１３ａがそれぞれ縦横に併設されている。
【００２９】
第１のＬＥＤ部１３がユニット板１２Ａの中央部分の領域に配設されることで、主となる照明光である白色光を所定の光量で照射し、屋外用照明器具２として適した照明を行うことができる。
【００３０】
また、第２のＬＥＤ部１４は、下部本体部２Ｂのユニット板１２Ａの全体領域の内、例えば第１のＬＥＤ部１３が配設される領域の両側の領域に配置されており、複数の青色ＬＥＤ１４ａがそれぞれ縦横に併設されている。
【００３１】
尚、第１のＬＥＤ部１３を構成する複数の白色ＬＥＤ１３ａと、第２のＬＥＤ部１４を構成する複数の青色ＬＥＤ１４ａとのそれぞれの配置及び個数は、図４に示す配置例及び個数に限定されるものではなく、必要に応じて適宜変えても良い。
【００３２】
第１の実施の形態では、第２のＬＥＤ部１４としては、前記したように第１のＬＥＤ部１３の補助的な照明光を点灯する複数の青色ＬＥＤ１４ａを用いている。
【００３３】
ここで、青色光の特性を考慮すると、非特許文献１（平成１８年度（第３９回）照明学会全国大会において発表がなされた特別シンポジウム講演論文集：平成１８年８月２５日発行、社団法人照明学会関西支部発行）において、青色防犯灯の取り組みに関して述べられている。
【００３４】
具体的には、前記非特許文献１には、蛍光灯、コンパクト型蛍光灯、水銀灯等の装飾用照明灯を、青色防犯灯として構成した場合に、この青色光は、人の副交感神経に作用して落ち着かせる鎮痛効果と心理的に人を冷静にさせる傾向があり、防犯効果が得られるといった特性があることが開示されている。
【００３５】
すなわち、第１の実施の形態においては、青色防犯灯としての光源を、蛍光灯、コンパクト型蛍光灯、水銀灯等を用いずに、複数の青色ＬＥＤ１４ａを有する第２のＬＥＤ部１４として構成する。このことより、前記非特許文献１に開示された技術と同様に、第２のＬＥＤ部１４の複数の青色ＬＥＤ１４ａによる青色光は、前記同様の特性、つまり、防犯効果が得られるといった特性を有することになる。
【００３６】
したがって、点灯制御部を構成する点灯装置１５によって、第１のＬＥＤ部１４の点灯時において、人感センサ２０から検知結果が出力した場合にはこの検知結果に応答して第２のＬＥＤ部１４を点灯させるように制御することにより、青色光を照明することができるので、防犯効果を得ることができる。また、第２のＬＥＤ１４を点滅制御すれば、防犯効果を向上させることも可能である。
【００３７】
尚、青色防犯灯の光源として第１及び第２のＬＥＤ部１３、１４を用いることにより、非特許文献１に記載の青色防犯灯に比べて、光源の寿命が長く、すなわち、各白色ＬＥＤ１３ａ、及び各青色ＬＥＤ１４ａの交換を行う必要がないので、交換作業を省くことで、全体的なコストを安価にすることも可能である。
【００３８】
このような第１及び第２のＬＥＤ１３、１４を点灯制御するための構成が図５に示されている。
【００３９】
図５に示すように、第１のＬＥＤ１３は、点灯装置１５を構成する第１の点灯装置１６に電気的に接続されている。また、第２のＬＥＤ１４は、点灯装置１５を構成する第２の点灯装置１７に電気的に接続されている。
【００４０】
そして、第１の点灯装置１６は、フォトスイッチ２１とリレー１９に電気的に接続されている。また、第２の点灯装置１７は、タイマ１８を介してリレー１９に電気的に接続されている。リレー１９は、人感センサ２０に電気的に接続されている。
【００４１】
フォトスイッチ２１は、電源２３及び照度センサ２２に電気的に接続されている。
【００４２】
このような構成の屋外用照明器具２を有する照明システム１において、電源２３は、フォトスイッチ２１及び照度センサ２２に電力を供給する。
【００４３】
フォトスイッチ２１は、照度センサ２２の明るさの検出結果に基づき、電源２３からの電力の供給をオン又はオンさせる。尚、照度センサ２２は、明るさを検知するもので、所定光量の明るさになると、例えばオンさせるための制御信号をフォトスイッチ２１に供給する。
【００４４】
つまり、照度センサ２２により、屋外用照明器具２近傍の所定光量の明るさが検知され、フォトスイッチ２１がオンされないと、屋外用照明器具２には、電源２３からの電力が供給されないようになっている。尚、照度センサ２２により検出する所定光量は適宜変更可能であり、検出光量が異なる照度センサ２２の種類を切換えることで対応可能である。
【００４５】
したがって、フォトスイッチ２１がオンされると、屋外用照明器具２及び人感センサ２０には、電源２３からの電力が供給される。すると、屋外用照明器具２において、第１の点灯装置１６は、電力が供給されると、第１のＬＥＤ部１３の各白色ＬＥＤ１３ａを点灯させる。これにより、屋外用照明器具２は、主となる照明光を点灯する第１のＬＥＤ部１３が点灯することで、屋外用照明器具２本来の照明機能を起動して白色光を所定の範囲内に照射する。
【００４６】
一方、電力が供給されると人感センサ２０は、その検出動作を起動する。この人感センサ２０は、人を検知して検知結果をリレー１９に供給する。リレー１９は、フォトスイッチ２１を介して電力が供給されており、人感センサ２０からの検知結果が供給されたときに、供給されている電力をタイマ１８に供給する。
【００４７】
つまり、リレー１９が設けられていることで、第１の点灯装置１６がオンのときのみに、人感センサ２０からの検知結果に基づいて電力がタイマ１８に出力されるようになっている。
【００４８】
タイマ１８は、所定時間を計測するもので、所定時間経過後に供給されている電力を第２の点灯装置１７に出力する。
【００４９】
第２の点灯装置１７は、人感センサ２０からの検知結果に基づき電力が供給されると、第２のＬＥＤ部１４の各青色ＬＥＤ１４ａを点灯させる。  
これにより、屋外用照明器具２は、主となる照明光を点灯する第１のＬＥＤ部１３が点灯して白色光を所定の範囲内に照射すると同時に、各青色ＬＥＤ１４ａからは青色光が所定の範囲内に照明する。これにより、所望の防犯効果を得ることが可能となる。
【００５０】
尚、人感センサ２０は、例えば図１に示す街灯用ポール３の外周部の屋外用照明器具２近傍に配設することが望ましいが、これに限定されることはなく、屋外用照明器具２の外周部の一部に設けても良い。また、屋外用照明器具２が街灯用ポール３に固定されないタイプの取付型として構成した場合には、屋外用照明器具２の近傍又は屋外用照明器具２の外周部の一部に人感センサ２０を配設すれば良い。
【００５１】
また、人感センサ２０の検知範囲については、限定するものではなく、必要に応じて適宜検知範囲を切り換えても良い。すなわち、検知範囲の異なる検出光量が異なる照度センサ２２の種類を切換えることで対応可能である。
【００５２】
また、照度センサ２２についても同様に、例えば図１に示す街灯用ポール３の外周部の屋外用照明器具２近傍に配設することが望ましいが、これに限定されることはなく、屋外用照明器具２の外周部の一部に設けても良い。
【００５３】
次に、屋外用照明器具２を有する照明システム１の動作を図１から図５を参照しながら説明する。尚、予め電源２３からフォトスイッチ２１に対して電力が供給されているものとして説明する。
【００５４】
図１に示すように、屋外用照明器具２を有する照明システム１は、照度センサ２２により、屋外用照明器具２近傍の所定光量の明るさが検知され、フォトスイッチ２１がオンすると、屋外用照明器具２には、電源２３からの電力が供給される。
【００５５】
すると、屋外用照明器具２において、第１の点灯装置１６は、電力が供給されると、第１のＬＥＤ部１３の各白色ＬＥＤ１３ａを点灯させる。  
これにより、屋外用照明器具２は、主となる照明光を点灯する第１のＬＥＤ部１３が点灯することで、屋外用照明器具２本来の照明機能を起動して白色光を所定の範囲内に照射する。
【００５６】
ここで、図１に示すように、屋外用照明器具２を有する照明システム１が配設されてエリアにおいて、通行人５１が照明システム１近傍に近づいたとする。
【００５７】
すると、通行人５１が人感センサ２０が検知する検知範囲内に入った場合には、この人感センサ２０は、この通行人５１を検知して検知結果をリレー１９に供給する。
【００５８】
そして、リレー１９は、フォトスイッチ２１を介して電力が供給されており、人感センサ２０からの検知結果が供給されたときに、供給されている電力をタイマ１８に供給する。すると、タイマ１８は、所定時間経過後に供給されている電力を第２の点灯装置１７に出力する。
【００５９】
そして、第２の点灯装置１７は、人感センサ２０からの検知結果に基づき電力が供給されると、第２のＬＥＤ部１４の各青色ＬＥＤ１４ａを点灯させる。  
これにより、屋外用照明器具２は、主となる照明光を点灯する第１のＬＥＤ部１３が点灯して白色光を所定の範囲内に照射すると同時に、各青色ＬＥＤ１４ａからは青色光が所定の範囲内に照明する。これにより、所望の防犯効果を得ることが可能となる。
【００６０】
尚、第２の点灯装置１７は、第２のＬＥＤ部１４を点灯制御することについて説明したが、これに限定されることはなく、例えば第２のＬＥＤ部１４を点滅制御するように構成しても良い。また、第２の点灯装置１７は、第２のＬＥＤ部１４を点灯及び点滅制御を交互に行うように構成しても良い。すなわち、第２のＬＥＤ部１４の点灯制御の方法は、このような点灯制御に限定されずに、どのような点灯及び点滅制御を行っても良い。
【００６１】
従って、第１の実施の形態によれば、前記特許文献１の従来技術のような携帯端末器を用いることなく、簡単な構成で且つ低コストで防犯効果が得られる屋外用照明器具２を提供することができる。また、第２のＬＥＤ１４を点滅等の制御を行うことで、防犯効果を向上させることのできる屋外用照明器具を提供することも可能である。
【００６２】
（第２の実施の形態）
図６は本発明の第２の実施の形態の屋外照明機器内の光源部を構成する複数のＬＥＤの配置形態を説明するための平面図である。尚、図６は、第１の実施の形態の屋外用照明器具２及び照明システム１と同様の構成要素については同一の符号を付して説明を省略し、異なる部分のみを説明する。
【００６３】
第２の実施の形態の屋外用照明器具２は、第１の実施の形態の屋外用照明器具２とは異なる光源部１２Ｂを有して構成され、さらに、人感センサ２０が人の動きを検知するように構成されている。
【００６４】
具体的には、図６に示すように、屋外用照明器具２に設けられた光源部１２Ｂは、第１の実施の形態の光源部１２と略同様であるが、第２のＬＥＤ部１４に替えて各ＬＥＤの色が異なる第２のＬＥＤ部１４Ａを有している。
【００６５】
この第２のＬＥＤ部１４Ａは、赤色光の照明光を点灯する複数の赤色ＬＥＤ１４ｂで構成されたものである。
【００６６】
また、人感センサ２０は、単に人を検知するものではなく、例えば人の動きを検知する検知機能を有して構成されている。
【００６７】
そして、点灯制御部を構成する第２の点灯装置１５は、人感センサ２０によって人の動きを検知した場合には、第２のＬＥＤ部１４Ａの複数の赤色ＬＥＤ１４ｂを点灯させるように制御する。
【００６８】
尚、第２の実施の形態では、人感センサ２０として、屋外用照明器具２近傍の画像を撮像して取り込む撮像手段を設け、さらにこの撮像手段による画像からひとの動きを検出する検出手段を設けて、人の動きを検出するように構成しても良い。尚、この人の動きを検出する閾値としては、例えばひったくり、痴漢、又は暴力等の激しい動きを検出することが可能な閾値に設定すれば良い。
【００６９】
その他の構成は、第１の実施の形態と同様である。
【００７０】
次に、第２の実施の形態の屋外用照明器具を有する照明システム１の動作について、図１、図５及び図６を参照しながら説明する。
【００７１】
図１に示すように、屋外用照明器具２を有する照明システム１は、第１の実施の形態と同様に、照度センサ２２により、屋外用照明器具２近傍の所定光量の明るさが検知され、フォトスイッチ２１がオンすると、屋外用照明器具２には、電源２３からの電力が供給される。
【００７２】
すると、屋外用照明器具２において、第１の点灯装置１６は、電力が供給されると、第１のＬＥＤ部１３の各白色ＬＥＤ１３ａを点灯させる。  
これにより、屋外用照明器具２は、主となる照明光を点灯する第１のＬＥＤ部１３が点灯することで、屋外用照明器具２本来の照明機能を起動して白色光を所定の範囲内に照射する。
【００７３】
ここで、図１に示すように、屋外用照明器具２を有する照明システム１が配設されたエリアにおいて、通行人５１が照明システム１近傍に近づいたとする。
【００７４】
すると、通行人５１が人感センサ２０が検知する検知範囲内に入った場合には、この人感センサ２０は、この通行人５１の動きを検知して検知結果をリレー１９に供給する。
【００７５】
そして、リレー１９は、フォトスイッチ２１を介して電力が供給されており、人感センサ２０からの検知結果が供給されたときに、供給されている電力を第２の点灯装置１７に出力する。尚、ここで、第１の実施の形態のようにタイマ１８を設けても良いが、第２の実施の形態では、緊急性を備える必要があるので、タイマ１８を設けずに、直接電力を第２の点灯装置１７に供給することが望ましい。
【００７６】
そして、第２の点灯装置１７は、人感センサ２０からの検知結果に基づき電力が供給されると、第２のＬＥＤ部１４Ａの各赤色ＬＥＤ１４ｂを点灯させ、あるいは点滅させる。  
これにより、屋外用照明器具２は、主となる照明光を点灯する第１のＬＥＤ部１３が点灯して白色光を所定の範囲内に照射すると同時に、各赤色ＬＥＤ１４ｂからは赤色光が所定の範囲内に照明する。
【００７７】
これにより、第１の実施の形態における青色光とは異なり、赤色光が照射されることにより、例えばひったりくり、痴漢、又は暴力等の激しい動きが想定される人物をその赤色光で威嚇して、犯罪を未然に防止することが可能となる。
【００７８】
従って、第２の実施の形態によれば、第１の実施の形態と同様の効果が得られる他に、緊急性のある、例えばひったりくり、痴漢、又は暴力等により激しい動きが想定される人物をその赤色光で威嚇することができるので、犯罪を未然に防止することが可能となる。
【００７９】
以上の実施の形態に記載した発明は、その実施の形態に限ることなく、その他、実施段階ではその要旨を逸脱しない範囲で種々の変形を実施し得ることが可能である。さらに、前記実施の形態には、種々の段階の発明が含まれており、開示される複数の構成要件における適宜な組合せにより種々の発明が抽出され得る。
【００８０】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００８１】
【図１】本発明の第１の実施の形態の屋外照明機器を有する照明システム全体の外観構成を示す構成図。
【図２】図１の照明システムの屋外用照明器具の構成を説明するもので、図１の屋外用照明器具の上面図。
【図３】図１の屋外用照明器具の断面図。
【図４】図１の屋外用照明器具内の光源部を構成する複数のＬＥＤの配置形態を説明するための平面図。
【図５】図１の屋外用照明器具を有する照明システム全体の電気的な構成を示すブロック図。
【図６】本発明の第２の実施の形態の屋外照明機器内の光源部を構成する複数のＬＥＤの配置形態を説明するための平面図。
【符号の説明】
【００８２】
１…照明システム、
２…屋外用照明器具、
２Ａ…上部本体部、
２Ｂ…下部本体部、
２Ｃ…下部カバー、
３…街灯用ポール、
３Ａ…装着孔、
４…落下防止ワイヤ固定ネジ、
５…開閉金具、
６…開閉ストッパ、
７、８…パッキン、
１１…化粧カバー、
１２Ａ…ユニット板、
１２、１２Ｂ…光源部、
１３…第１のＬＥＤ部、
１３ａ…白色ＬＥＤ、
１４、１４Ａ…第２のＬＥＤ部、
１４ａ…青色ＬＥＤ、
１４ｂ…赤色ＬＥＤ、
１５…点灯装置、
１６…第１の点灯装置、
１７…第２の点灯装置、
１８…タイマ、
１９…リレー、
２０…人感センサ、
２１…フォトスイッチ、
２２…照度センサ、
２３…電源、
３０…電線、
５１…通行人。
【図１】
2008305768.tif 000003
【図２】
2008305768.tif 000004
【図３】
2008305768.tif 000005
【図４】
2008305768.tif 000006
【図５】
2008305768.tif 000007
【図６】
2008305768.tif 000008